(57)【要約】【課題】間接活線工法等の電設工事におけるボルトやナット部材等の締め込み作業に関して、その効率を大幅に向上させる締め込み工具および部材の締め込み工法を提供する。【解決手段】締め込み部材の締め込み部位に外周側から装着されてこれを保持し、前記締め込み部位に締め込み力を与えるための装着体と、前記装着体に締め込みのための回転力を与えるための線状体と、を備える締め込み工具であって、前記装着体は、前記締め込み部位を受け入れてこれを保持するためにその中心部に設けられた保持部と、この保持部の外周位置において前記線状体を巻回して配置するための巻回配置部と、を有する立体形状をなし、前記線状体は、その一端側が前記装着体に固定されて、前記巻回配置部に巻回されて配置され、前記線状体の他端側が引っ張られたときにその巻回が解かれながら前記装着体に回転力を与えるように構成される。【選択図】      図５
2007104791.tif 000002
【特許請求の範囲】
【請求項１】
締め込み部材の締め込み部位に外周側から装着されてこれを保持し、前記締め込み部位に締め込み力を与えるための装着体と、
前記装着体に締め込みのための回転力を与えるための線状体と、を備える締め込み工具であって、
前記装着体は、前記締め込み部位を受け入れてこれを保持するためにその中心部に設けられた保持部と、この保持部の外周位置において前記線状体を巻回して配置するための巻回配置部と、を有する立体形状をなし、
前記線状体は、その一端側が前記装着体に固定され、かつ前記巻回配置部に巻回されて配置され、前記線状体の他端側が引っ張られたときにその巻回が解きながら前記装着体に回転力を与えるように構成される、ことを特徴とする締め込み工具。
【請求項２】
請求項１に記載の締め込み工具において、
前記装着体は、前記締め込み部位を前記保持部に着脱させるための切れ目部を、外表面と前記保持部との間に配設して構成される、ことを特徴とする締め込み工具。
【請求項３】
請求項１または２に記載の締め込み工具を用いる部材の締め込み工法であって、
線状体を装着体に巻回した前記締め込み工具を、前記締め込み部材の締め込み部位に装着させるステップと、
前記締め込み工具の線状体の一端側を引っ張り、線状体の巻回を解きながら前記装着体に回転力を与え、前記締め込み部材の仮締め込みを行うステップと、
前記締め込み部位から前記装着体を取り外すステップと、
間接活線用の工具を用いて、前記締め込み部材の本締め込みを行うステップと、
を含むことを特徴とする部材の締め込み工法。
【発明の詳細な説明】
【技術分野】
【０００１】
本発明は、ボルトやナット部材などの締め込み用工具または締め込み方法にかかるものであり、より詳細には、配電線の緊線作業や装柱周りの各種部材の取り付けなどを行う電設工事において、ホットスティツク(活線用絶縁棒)などの間接活線工具を用い、電線を活線状態にしたままで停電せずに行う工事が近年普及しており、そのような工事に適する締め込み工具および部材の締め込み工法に関するものである。
【背景技術】
【０００２】
図６は、間接活線工具を用いた無停電工事が行われる標準的な装柱の一例を示す図である。ここでの装柱６０は、電柱６１、腕金(腕木)(６２ａ,６２ｂ)、碍子(ｇ1,ｇ２,ｇ３,ｇ４,ｇ５,ｇ６)、引留クランプを含む引留部(ｃ1, ｃ２,ｃ３,ｃ４,ｃ５,ｃ６)、電線(ｄ１０−ｄ１１−ｄ１２、ｄ２０−ｄ２１−ｄ２２、ｄ３０−ｄ３１−ｄ３２)などの部材を備えて構成されており、電柱間に張架された配電線を引き留めるとともに、配設された各種の部材を保持し、需要者に電力を供給する。
【０００３】
図７〜１０は、無停電による間接活線工法で用いられる工具の例を示す図である。
図７は共用操作棒(ホットスティツク、活線用絶縁棒)である。この共用操作棒は、細長の棒状体からなる絶縁材料から形成されて、両端部にはツイストロック金具(１,８)を備え、一方の端部のツイストロック金具８に締め付け工具などを直接連結接続させて、他の端部側から作業者がこれを操作することができる。この共用操作棒を用い、充電部に近い位置にある締め込み部材などを、距離をおいた位置にいる作業者が遠隔的に操作して、締め付け作業を行うことができる。
【０００４】
図８は間接活線工法で用いられる絶縁ヤットコであり、その先端部には先端金具１を備え、他の棒状の部分は絶縁材料より構成されており、この先端金具１をこれに連動するレバー５を用いて操作し、ヤットコの動作またはその機能を行わせることができる。
図９は間接活線工法で用いられる工具の一つであって、先端部にはフック部９１を、下端側には絶縁棒部９２を備えており、例えばバインドを打つためのバインド打ち器として用いられるのに好適な工具である。
【０００５】
図１０は間接活線工法で用いられる間接トルクラチェットであり、先端部にはボルトやナットを受け入れて締め付けるための締め付け部ａ１を備え、それに連結されるアーム部ｂ１と回動自在な関節部ｃ１とを介して、他の端部には連結部ｄ１を備えている。この連結部ｄ１には、絶縁棒などが直接連結されて接続され、この連結部ｄ１を上下に動かすことによって、アーム部ｂ１に締め付け部ａ１を中心とした回動動作をさせることができる。このアーム部ｂ１の上下移動動作によって、締め付け部ａ１は一定の回転方向に進行し、締め付け部ａ１に設定された部材に対して、所望するトルクでの締め付け動作または緩め動作をすることができる。
【０００６】
無停電の間接活線工法を用いた電設工事において、ボルトやナットなどの部材の取り付けや締め込みを作業者が行うにあたっては、それら部材が活線状態または活線に近接した位置に配置されている場合には、作業者はそれら部材に近づくことは危険であるため、少なくとも所定の距離(例えば1.5ｍ以上)を置いて行わなければならない。そのため、ホットスティツク(絶縁棒)の先端に、部材の締め付けを可能にする工具を取り付けて、ホットスティツクを保持して離れた位置にいる作業者が、そのホットスティツクを操作することにより、それら部材の締め込みを行っていた。
【０００７】
ここで、ホットスティツクを用いた間接活線工法(無停電工事)について、具体的な例をあげて説明する。装柱(電柱)上またはその周辺で鳥の巣作りを防止するために、駐鳥を抑止することができる防巣装置を、電柱の腕金などに取り付ける工事がある。図４はその防巣装置の例を示す図であり、ここでの風車式の防巣装置４３は、ホットスティツク(活線用絶縁棒)を用いて、電柱４１の腕金４２に取り付けられる。
【０００８】
この防巣装置４３は、電柱４１の腕金４２に載置されて取り付けられるが、そのための断面逆Ｕ字形(断面「コ」の字形)の股形状または鞍形状を成す取り付け金具４３ａと、この取り付け金具４３ａから略水平方向へ延伸されて支持される横支持腕部４３ｂと、この支持腕部４３ｂからさらに直角の天方向へ延伸されて支持される縦支持腕部４３ｃとを一体的に備えており、この縦支持腕部４３ｃの上方端部には、水平方向に回転する風車部４３ｄが配備されている。この防巣装置４３は、風によって風車部４３ｄが回転させられる機構を有して、鳥の飛来やそこに鳥が停まることを防止することができ、これにより鳥の巣作りを防ぐ装置である。
【０００９】
この防巣装置４３の取り付け部４３ａは、左右の側面部(ａ１,ａ２)と上面部ａ３との３面を有して、下側は下向きの開放側面部ａ４となっている。この防巣装置４３が電柱４１の腕金４２に取り付けられるにあたり、この開放側面部ａ４または上面部ａ３とボルトＢ１間のスペースを経由して、腕金４２の所定の位置に配設される。
ここで、防巣装置４３の左右の側面部(ａ１,ａ２)の内部(間隔)寸法は、腕金４２の左右の側面間の寸法に合わせられて形成されており、取り付け部４３ａの上面部ａ３の内面を腕金４２の上面に配置したときに、取り付け部４３ａの側面部(ａ１,ａ２)の内面が腕金４２の左右の両側面に接触するように設計されている。
【００１０】
そして、この防巣装置４３の取り付け部４３ａの下側は開放側面部ａ４となっているので、取り付け部４３ａをこの腕金４２の所定位置に配置した後に、２つの側面部(ａ１,ａ２)を貫通するボルトＢ１を挿通し、このボルトＢ１にナットＮ１を嵌め込んでこれを締め付け、この開放側面部ａ４を内側に締め付け力をかけることにより、この取り付け部４３ａを腕金４２に固定する。
【００１１】
このとき、ボルトＢ１は図４(２)の右から左に向かって挿通されているが、ナット部材Ｎ１とワッシャーｗ１とは、左から右に向かってボルトＢ１に挿入されている。そして、ナット部材Ｎ１が回転させられて締め込まれて、左側から右方向へと進行していくに従って、ワッシャーｗ１も左から右に向かって移動していき、ナット部材Ｎ１とワッシャーｗ１とが防巣装置４３の左側面部ａ２の外面に当接して動けなくなるまで、ナット部材Ｎ１の締め込み(回転)が続けられる。
【００１２】
また、ナット部材Ｎ１をボルトＢ１に締め込んでいくときには、相互の部材同士が共回りしない構造とするのがよい。具体的には、図４(２)において、ボルトＢ１の右端部にある頭部Ｂｔの内面Ｂｔ’が、図４(２)の右の側面部ａ１の右側の外面に当接した位置となったときに、相互の部材同士を係止または係合させることにより回動を抑え、共回りを防止する構造を形成している。
【００１３】
さらに図４(２)において、ボルトＢ１の左の端部は、左の側面部ａ２の穴部を貫通して左方向に向かって挿通されているが、このボルトＢ１は、左の側面部ａ２の外面から左方向に所定の長さ分(ｈ１)だけ突出するように設定されている。これは、無停電における間接活線工法に従って防巣装置４３を腕金４２に取り付けるにあたって、間接活線工具を用いて容易に締め付けができるように、余裕をもった長めの長さを見込んで、このボルトＢ１を設計してあることによるものである。
【００１４】
このように、図４(２)に示すように、防巣装置４３を腕金４２に取り付けるにあたっては、初めにボルトＢ１の左端部からナットＮ１を螺合し、このナットＮ１を回しながら締め込んでいって、所定の距離分ｈ１を移動させなくてはならない。無停電による間接活線工法では、このナットＮ１を締め込みにあたって、図１０に示したような間接ラチェットを用いて行っている。しかし、このボルトＢ１の長さがかなり長いために、ナットＮ１を回して締め込むときの距離が長くなり、間接ラチェットを用いる締め込み方法では、高所不安定な作業場においてのホットスティツクを介した作業となり、大変に時間がかかり、作業性が悪いという問題がある。
【００１５】
本発明の技術分野に関連する特許文献としては、次のようなものがある。
【特許文献１】特開２００５−１７２７５２号公報
【特許文献２】実用新案登録第３０７３４６４号公報
【発明の開示】
【発明が解決しようとする課題】
【００１６】
上述したように、無停電の間接活線工法などによる電設工事においては、ボルトやナット部材などの締め込みに関して、作業員が直接それを行うことができず、ホットスティツク(活線用絶縁棒)や間接ラチェットなどの間接活線工具を用いて、その締め込みを行わなければならない。しかしながら、そのような締め込み作業は、高所不安定な作業場での熟練を必要とするものとなり、作業員らに多くの時間や手間がかかって、作業効率が良くないという問題点がある。
このような問題点を鑑み、本発明では、電設工事などにおけるボルトやナット部材などの締め込み作業に関して、その効率を大幅に向上させることのできる締め込み工具および部材の締め込み工法を提供することを目的としている。
【課題を解決するための手段】
【００１７】
（１）締め込み部材の締め込み部位に外周側から装着されてこれを保持し、前記締め込み部位に締め込み力を与えるための装着体と、
前記装着体に締め込みのための回転力を与えるための線状体と、を備える締め込み工具であって、
前記装着体は、前記締め込み部位を受け入れてこれを保持するためにその中心部に設けられた保持部と、この保持部の外周位置において前記線状体を巻回して配置するための巻回配置部と、を有する立体形状をなし、
前記線状体は、その一端側が前記装着体に固定され、かつ前記巻回配置部に巻回されて配置され、前記線状体の他端側が引っ張られたときにその巻回が解きながら前記装着体に回転力を与えるように構成される締め込み工具とした。
【００１８】
（２）(１)の締め込み工具において、
前記装着体は、前記締め込み部位を前記保持部に着脱させるための切れ目部を、外表面と前記保持部との間に配設して構成される。
【００１９】
（３）(１)または(２)の締め込み工具を用いる部材の締め込み工法であって、
線状体を装着体に巻回した前記締め込み工具を、前記締め込み部材の締め込み部位に装着させるステップと、
前記締め込み工具の線状体の一端側を引っ張り、線状体の巻回を解きながら前記装着体に回転力を与え、前記締め込み部材の仮締め込みを行うステップと、
前記締め込み部位から前記装着体を取り外すステップと、
間接活線用の工具を用いて、前記締め込み部材の本締め込みを行うステップと、
を含むことを特徴とする部材の締め込み工法。
【００２０】
また、この部材の締め込み工法は、前記締め込み部材を所定の取り付け位置に配置するステップを含むことができ、
（ａ）線状体を装着体に巻回した前記締め込み工具を、前記締め込み部材の締め込み部位に装着させた後に、前記締め込み工具を装着させた締め込み部材を、間接活線用工具を用いて、所定の取り付け位置に配置する、
（ｂ）前記締め込み部材を、間接活線用工具を用いて所定の取り付け位置に配置させた後に、線状体を装着体に巻回した前記締め込み工具を、間接活線用工具を用いて前記締め込み部材の締め込み部位に装着させる、のいずれかにより行われるとよい。
【発明の効果】
【００２１】
本発明による締め込み工具によれば、無停電の間接活線工法などによる電設工事において、ホットスティツク(活線用絶縁棒)や間接ラチェットなどの間接活線工具を用いずに、ボルトやナット等の部材締め込み作業ができるようになり、作業の効率を大幅に向上させることができる。また、本発明による締め込み工具を用いた部材の締め込み工法は、間接活線工具を用いた電設工事において、ボルトやナット等の部材締め込み作業を含む作業工程の効率を大幅に向上させることができる。
【発明を実施するための最良の形態】
【００２２】
次に添付の図面を参照して、本発明による締め込み工具とこの締め込み工具を用いた部材の締め込み工法とにかかる実施の形態について、詳細に説明する。
図１(１)は、本発明による締め込み工具の一実施形態を示す外観斜視図であり、図１(２)は、同じ締め込み工具の別の実施形態を示す外観斜視図である。
図１(１)の締め込み工具１００は、全体が糸巻き部材のような円環立体形状を成して、中心部に中空穴１１と保持部１２とが設けられた装着体１０と、この装着体１０に巻き付けられて装着体１０を回転させる線状体１６とを主な構成要素としている。
【００２３】
締め込み工具１００は外観的には糸巻き体の形状をなす装着体１０を有して、ボルトやナットなどの締め込み部材の締め込み部位にその外周側から装着して、その締め込み部位を内部に受け入れてそれを保持することができる。装着体１０は、締め込み部位へ装着するために、中央部に中空穴１１および保持部１２を備えており、その締め込み部位をそこに保持したまま、締め込み力を与えることができる。
ここでの装着体１０は、金属、木材、ゴム、樹脂等の材料から形成できるが、ボルトやナットなどの締め込み部材の締め込み部位としては、例えば六角形の締め付け部が一般的であり、この装着体１０をゴムや樹脂等の弾力性がある材料で形成しておくことにより、その六角締め付け部を中空穴１１および保持部１２に挿入して、ここで受け入れて保持する構造を形成することができる。
【００２４】
この締め込み工具１００の装着体１０には線状体１６が巻きつけられるが、この線状体１６の材料には、繊維、樹脂、金属性ワイヤー、糸、細紐などが用いられ、間接活線用の工具として用いる都合上、絶縁性であって張力がかけられるナイロン繊維やカーボン繊維などが用いられるとよい。
また、締め込み工具１００の装着体１０は、円環形状の保持部１２の外側円周の位置において、この線状体２０を巻回して配置するための巻回配置部１３を有しており、この巻回配置部１３は図１に示すような円周状の凹溝部として形成されている。
【００２５】
この線状体１６は、一方の端部にノブ部（つまみ部）１６ａが設けられ、他方の端部は装着体１０の側の所定の位置、例えば巻回配置部１３に固定（固着）されている。そして、ここでの線状体１６は、端部が引っ張れるようにノブ部１６ａ側の部分を少し伸ばし、その大部分は装着体１０の巻回配置部１３に巻きつけられた状態として、締め込み工具１００を準備しておく。
【００２６】
この締め込み工具１００の装着体１０は、ボルトやナットなどの締め込み部材の締め込み部位に装着しておいて、線状体１６のノブ部１６ａの側に引っ張り力を与えることとする。すると、装着体１０は引っ張り方向に回転をし始め、この装着体１０に巻き付けられていた線状体が徐々に解かれていき、装着体１０自体は締め込み部材の締め込み部位を保持しているので、同体となっているその締め込み部材も装着体１０と一緒になってそのまま回転する。
【００２７】
図１(２)は、本発明による締め込み工具の別の例を示す外観斜視図である。
この図１(２)の締め込み工具２００は、中心部に中空穴２１と保持部２２とが設けられた装着体２０と、この装着体２０に巻き付けられて装着体２０を回転させる線状体２６とを主な構成要素としている。この装着体２０には凹溝部からなる巻回配置部２３が円周状に設けられており、巻回配置部２３の所定部位である固定部２３ａに線状体２６の一端が固着されている。締め込み工具２００の線状体２６は巻回が解かれて、下方に垂下された状態を示しており、下端にはリング状のノブ部２６ａを備えている。また、装着体２０の保持部２２は、六角ボルトや六角ナットの締め込み部位の形状に適合するように、断面六角形にして形成されている。
【００２８】
図２は、締め込み工具を締め込み部材の締め込み部位(ここではナット５２)に装着する例を示す図であり、図２(１)は締め込み工具装着前の状態を、また図２(２)は締め込み工具装着後の状態を示す外観斜視図である。この図２(１)(２)に示した締め込み部材は、先に述べた図４のものと同様の取り付け金具５０であり、断面逆Ｕ字形の鞍形状を成して、防巣装置などを電柱の腕金などに載置して取り付けることができる。
【００２９】
図２(１)における取り付け部５０は、左右の側面部(ａ１,ａ２)と上面部ａ３との３平面部を有し、下側は下向きの開放側面部ａ４となっている。そして、この開放側面部ａ４を閉塞するように、上面部ａ３に平行にして、締め込み部材としてのボルト５１が左右の側面部(ａ１,ａ２)を貫通して設けられており、このボルト５１の端部にはナット５２が嵌められてこれが締め込み部位となる。また、次の図２(２)は、図２(１)のナット５２に、締め込み工具が装着された様子を示す図である。なお、図２(１)(２)では、ボルト５１の頭部は右側面部ａ１の後ろにあって図示されてはいないが、ボルト５１の頭部と右側面部ａ１とは共回りしない構造となっている。さらに、ここでは、ナット５２を締め込み部位として説明しているが、ボルト５１の六角頭部を締め込み部位とすることも可能である。
【００３０】
この取り付け部５０を電柱の腕金の所定位置に配置するにあたっては、ボルト５１を取り付けていない状態で、この開放側面部ａ４を経由して、取り付け部５０を腕金の所定の位置に配置することができる。
また、ボルト５１を取り付けた状態であっても、上面部ａ３とボルト５１とのスペースＳがあるので、このスペースＳに腕金を挿通させることができ、取り付け部５０を腕金の所定の位置に配置することができる。
【００３１】
図３(１)〜(３)は、締め込み工具の別の実施形態を示す図である。図３(１)の締め込み工具３００は、装着体３０の外表面側にある巻回配置部３３と保持部３２との間に、切れ目部Ｋ(切り込み部)が配設されて構成されている。締め込み工具３００の装着体３０は、ゴムや樹脂などの弾性の高い材料で形成されているので、変形や伸縮が自在であり、ナットやボルト頭部などの締め込み部位の保持部３２への配置挿入や脱落を容易に行うことができるが、この装着体３０に切れ目部Ｋを設けてここを開閉自在な構造とすることにより、締め込み部位の配置挿入や脱落をさらに容易に行うことができる。また、この切れ目部Ｋは、保持部３２との間に拡大開口部ｋ１を設けてより開き易い構造としてあり、これにより、ナットやボルト頭部などの締め込み部位の保持部からの離脱をより容易に行うことができる。
【００３２】
図３(２)は、締め込み工具３００を、ナットやボルト頭部などの断面六角部材３８に装着したときの状態を示す図である。装着体３０は、締め込み部材の締め込み部位である断面六角部材３８に外周側から取り囲むように装着してこれを保持し、断面六角部材３８に締め込み力を与えることができる。その締め込み力は、線状体３６の巻回が解かれたときの回転力によって与えられ、それは、線状体３６の端部のノブ３６ａに下方向の張力Ｔ１をかけることにより実行される。
【００３３】
図３(３)は、断面六角部材３８に装着された装着体３０を、図３(２)に続いて、断面六角部材３８から離脱させるときの状態を示す図である。図３(２)において、線状体３６に張力Ｔ１がかけられると、断面六角部材３８に装着された装着体３０は左方向に回転して、断面六角部材３８に回転力を与える。そして、線状体３６の巻回が全部解かれたときには、巻回配置部３３にある固定部３３ａが露出して、それ以上回転できなくなる位置で停止するが、その位置で線状体３６にさらに張力Ｔ２をかけると、装着体３０が引っ張られて下方向へ移動し、これで切れ目部Ｋが左右に拡開し、装着体３０が断面六角部材３８から離脱するようになる。
【００３４】
次に、図５を参照しながら、締め込み工具４００を用いた部材の締め込み工法について説明する。
本発明による部材の締め込み工法では、防巣装置ＢＳを電柱の腕金４２に取り付ける工事を行うこととし、そのとき、その取り付け部５０は、貫通するボルト５１およびナット５２によって腕金４２上に据え付けられるものとする。
まず、線状体を装着体に巻回した締め込み工具４００を、締め込み部材の締め込み部位であるナット５２に装着させるステップを行う。
つぎに、締め込み工具４００の線状体の一端側を引っ張って、線状体の巻回を解きながら装着体に回転力を与え、装着体に保持されたナット５２を締め込んでボルト５１と仮り締めさせるステップを行う。
【００３５】
そのつぎに、締め込み工具４００の装着体を、ナット５２から取り外すステップを行う。このステップで、締め込み工具４００の装着体に切れ目(切り込み)があるタイプならば、線状体を強く引っ張ることにより容易にナット５２から取り外すことができる。締め込み工具４００の装着体に切れ目(切り込み)がないタイプなら、絶縁ヤットコなどの間接活線工具を用いて取り外せばよい。
そしてつぎに、絶縁ラチェットなどの間接活線用の締め込み工具を用いて、ナット５２の本締め込みを行う。
【００３６】
ここで、本発明による材の締め込み工法は、ボルト５１やナット５２を含む締め込み部材５０を、腕金４２の所定の取り付け位置に配置するステップを含むことができる。
このとき、つぎのようないずれかにより行われるとよい。
（ａ）線状体を装着体に巻回した締め込み工具４００を、締め込み部材５０のボルト５１に嵌められたナット５２に地上で装着させ、締め込み工具４００を装着させた締め込み部材の１セット「締め込み部材５０＋ボルト５１＋(締め込み工具４００＋ナット５２)」を地上で準備しておき、間接活線用工具を用いて、装柱上の腕金４２の所定の取り付け位置に配置する、
【００３７】
（ｂ）地上で締め込み部材の１セット「締め込み部材５０＋ボルト５１＋ナット５２」を準備し、間接活線用工具を用いて、これらを装柱上の腕金４２の所定の取り付け位置に配置させた後に、線状体を装着体に巻回した締め込み工具４００を、間接活線用工具を用いて、締め込み部材の締め込み部位であるナット５２に装着させる。
【図面の簡単な説明】
【００３８】
【図１】(１)は、本発明による締め込み工具の一実施形態を示す外観斜視図であり、また(２)は同じく別の実施形態を示す図である。
【図２】本発明による締め込み工具を締め込み部材の締め込み部位(ここではナット)に装着する例を示す図である。
【図３】本発明による締め込み工具の別の実施形態を示す図である。
【図４】本発明による締め込み工具およびこれを用いる部材の締め込み工法を適用可能な設備の一例として、防巣装置の取り付けを示す図である。
【図５】本発明による締め込み工具を用いる部材の締め込み工法についての説明図である。
【図６】間接活線工具を用いた無停電工事が行われる標準的な装柱の例を示す図である。
【図７】間接活線工法で用いられる工具の例として共用操作棒を示す図である。
【図８】間接活線工法で用いられる工具の例として絶縁ヤットコを示す図である。
【図９】間接活線工法で用いられる工具の例としてバインド打ち器を示す図である。
【図１０】間接活線工法で用いられる工具の例として間接トルクラチェットを示す図である。
【図１１】本発明による、締め込み工具およびこれを用いる部材の締め込み工法を適用可能な設備の一例として、電柱の腕金に取り付けられる支持金具を示す図である。
【符号の説明】
【００３９】
１００、２００、３００    締め込み工具
１０、２０、３０    装着体
１１、２１、３１    中空穴
１２、２２、３２    保持部
１３、２３、３３    巻回配置部  
１６、２６、３６    線状体
１６ａ、２６ａ、３６ａ    ノブ部(つまみ部)  
３８    断面六角部材（ナットやボルト頭部）
４２    電柱の腕金
５０    取り付け部材
ａ１    左の側面部
ａ２    右の側面部
ａ３    上面部
ａ４    開放側面部
５１    ボルト
５２    ナット
Ｓ      上面部ａ３とボルト５１とのスペース
Ｋ      切れ目部（切り込み部）
ｋ１    拡大開口部
ＢＳ    防巣装置
【図１】
2007104791.tif 000003
【図２】
2007104791.tif 000004
【図３】
2007104791.tif 000005
【図４】
2007104791.tif 000006
【図５】
2007104791.tif 000007
【図６】
2007104791.tif 000008
【図７】
2007104791.tif 000009
【図８】
2007104791.tif 000010
【図９】
2007104791.tif 000011
【図１０】
2007104791.tif 000012
【図１１】
2007104791.tif 000013